(57)【要約】  本発明は、料理の際、塩、砂糖、薬味等の調味料を便利に使用することができるようにするための、開閉が容易で計量機能を備えた厨房容器を提供する。本発明の開閉が容易で計量機能を備えた厨房容器１０は、磁性体６０、６２のように互いに接続される固定手段１６によって据置台１２に調味料入れ１４が固定されるため、据置台１２の設置位置を自由に動かすことができて、厨房の壁面、流し台の前壁面、流し台の上または前、テーブルの上等の多様な位置を設置面として据置台１２を固定させて便利に使用することができる。特に、本発明は据置台１２に形成されるストップリセス２８と調味料入れ１４に形成される係止顎５４によって、蓋として適用されるヘッド５０が据置台１２に固定された状態で調味料入れ１４のバレル４０を取り出すことができるため、料理の際、片手でも調味料を容易に使用することができる長所を有する。また、同時に調味料の計量機能を提供して使用の便利さを増大させるようにする。
2017506086.tif 000002
【特許請求の範囲】
【請求項１】
内部に調味料を収容する調味料入れ（１４）と、
設置面に固定されて上記調味料入れ（１４）を位置させるための据置台（１２）、及び、上記調味料入れ（１４）と据置台（１２）にそれぞれ設置されて互いに接続されるように一対の相対物として形成される固定手段（１６）を含み、上記固定手段（１６）によって上記据置台（１２）の下方向に上記調味料入れ（１４）が上記据置台（１２）に固定されるようにすることを特徴とする開閉が容易で計量機能を備えた厨房容器。
【請求項２】
上記固定手段（１６）は、上記据置台（１２）に設置される第１磁性体（６０）、及び上記調味料入れ（１４）に設置される第２磁性体（６２）からなり、上記１磁性体（６０）と第２磁性体（６２）が互いに付着することにより、上記据置台（１２）の下方向に上記調味料入れ（１４）が上記据置台（１２）に固定されるようにすることを特徴とする、請求項１に記載の開閉が容易で計量機能を備えた厨房容器。
【請求項３】
上記据置台（１２）は、上記調味料入れ（１４）の一端が挿入されるように底面（２４）と周囲面（２６）によって定められた深さを有するように形成されるメインリセス（２２）、及び、上記メインリセス（２２）の周囲面（２６）に外側方向に突出するように形成されるストップリセス（２８）を有し、上記調味料入れ（１４）は、上記メインリセス（２２）に挿入される一端が上記メインリセス（２２）及びストップリセス（２８）に挿入される形態に形成されるヘッド（５０）を備えることを特徴とする、請求項１または請求項２に記載の開閉が容易で計量機能を備えた厨房容器。
【請求項４】
上記調味料入れ（１４）は、上記調味料が収容されるバレル（４０）を備え、上記調味料入れ（１４）のヘッド（５０）は、上記ストップリセス（２８）に挿入される係止顎（５４）を有し、上記バレル（４０）と回転によって上記バレル（４０）に開け閉めされる上記調味料入れ（１４）の蓋であって、使用者が上記バレル（４０）を持って円周方向に回した後、下方向に下げたとき、上記ヘッド（５０）が上記据置台（１４）に付着した状態を維持することにより、蓋が分離して開いた上記バレル（４０）のみを取り出すことができるようにすることを特徴とする、請求項３に記載の開閉が容易で計量機能を備えた厨房容器。
【請求項５】
底面（２４）と周囲面（２６）によって定められた深さに形成されるメインリセス（２２）と、上記メインリセス（２２）の周囲面（２６）に外側方向に突出するように形成されるストップリセス（２８）を有し、設置面に固定される据置台（１２）、及び、調味料を収容して上記据置台（１２）に位置される調味料入れ（１４）を含み、上記調味料入れ（１４）は、内部に調味料を収容する空間（４１）が形成されるバレル（４０）と、上記バレル（４０）に回動可能なように結合され、上記据置台（１２）の上記メインリセス（２２）に挿入されるように形成され、上記ストップリセス（２８）に挿入される係止顎（５４）を有するヘッド（５０）を備え、上記調味料入れ（１４）を上記据置台（１２）に位置させた状態で上記バレル（４０）を回動させとき、上記ヘッド（５０）が上記据置台（１２）によって停止した状態を維持するようにすることを特徴とする開閉が容易で計量機能を備えた厨房容器。
【請求項６】
上記調味料入れ（１４）と据置台（１２）にそれぞれ設置されて互いに接続されるように一対の相対物として形成される固定手段（１６）をさらに含み、上記固定手段（１６）によって上記据置台（１２）の下方向に上記調味料入れ（１４）が上記据置台（１２）に固定されるようにすることを特徴とする、請求項５に記載の開閉が容易で計量機能を備えた厨房容器。
【請求項７】
上記固定手段（１６）は、上記据置台（１２）に設置される第１磁性体（６０）、及び上記調味料入れ（１４）に設置される第２磁性体（６２）からなり、上記１磁性体（６０）と第２磁性体（６２）が互いに付着することにより、上記据置台（１２）の下方向に上記調味料入れ（１４）が上記据置台（１２）に固定されるようにすることを特徴とする、請求項６に記載の開閉が容易で計量機能を備えた厨房容器。
【請求項８】
調味料が収容される内部空間（２１）を形成するミドルボディー（２２）を有し、上記ミドルボディー（２２）内で上記内部空間（２１）と遮断される流出路（３１）が形成されるようにする流出管（３０）を有するバレル（２０）と、上記バレル（２０）の下側に回転可能なように結合されるボトムボディー（４２）を有し、定められた量の調味料が収容されて上記ボトムボディー（４２）の回転によって上記流出路（３１）の位置に合わせられる計量凹部（４１）を有する計量部材（４０）、及び、上記バレル（２０）の上側に回転可能なように結合されるトップボディー（５２）を有し、上記トップボディー（５２）の回転によって上記流出路（３１）の位置に合わせられる流出ホール（５１）を有する覆い部材（５０）を含み、上記計量部材（４０）の計量凹部（４１）によって計量された調味料が上記バレル（２０）の流出路（３１）を通って上記覆い部材（５０）の流出ホール（５１）に出るようにすることができることを特徴とする、開閉が容易で計量機能を備えた厨房容器。
【請求項９】
上記計量部材（４０）の計量凹部（４１）は、円周方向に順次に配置され、互いに同じか異なる大きさに形成されて、定められた量の調味料が収容されるように多数個のサブ計量凹部（４１ａ、４１ｂ、４１ｃ、４１ｄ）を備えることを特徴とする、請求項８に記載の開閉が容易で計量機能を備えた厨房容器。
【請求項１０】
上記覆い部材（５０）は、上記バレル（２０）に固定結合された際、上記流出管（３０）と合わせられる位置に配置される覆い流出管（５１’）を有し、上記覆い流出管（５１’）の上側に開口として形成される内部流出ホール（５１ｂ）を有する固定覆い（５０ｂ）、及び、上記固定覆い（５０ｂ）に回動可能なように結合されて、回動時に上記内部流出ホール（５１ｂ）と合わせられる外部流出ホール（５１ａ）を有する回動覆い（５０ａ）を備え、上記固定覆い（５０ｂ）は、上記内部流出ホール（５１ｂ）と離隔され円周方向に順次に配置されるサブ流出ホール（５１ｃ、５１ｄ）を備えることにより、上記回動覆い（５０ａ）の外部流出ホール（５１ａ）を上記固定覆い（５０ｂ）の内部流出ホール（５１ｂ）の位置に合わせたとき、上記計量部材（４０）の計量凹部（４１）によって計量された調味料を使用することができるようにし、上記回動覆い（５０ａ）の外部流出ホール（５１ａ）を上記固定覆い（５０ｂ）のサブ流出ホール（５１ｃ、５１ｄ）に合わせたとき、上記バレル（２０）の内部空間（２１）に収容された調味料を使用することができるようにすることを特徴とする、請求項８または請求項９に記載の開閉が容易で計量機能を備えた厨房容器。
【請求項１１】
上記回動覆い（５０ａ）と固定覆い（５０ｂ）は、上記回動覆い（５０ａ）の外部流出ホール（５１ａ）が上記固定覆い（５０ｂ）の内部流出ホール（５１ｂ）の位置に合わせたときと、上記回動覆い（５０ａ）の外部流出ホール（５１ａ）がふさがれた状態になったとき、上記回動覆い（５０ａ）の回動を止めるようにするストッパーをさらに備えることを特徴とする、請求項１０に記載の開閉が容易で計量機能を備えた厨房容器。
【請求項１２】
上記回動覆い（５０ａ）と計量部材（４０）は、外周面が角を有するように形成されることを特徴とする、 請求項１０に記載の開閉が容易で計量機能を備えた厨房容器。
【発明の詳細な説明】
【技術分野】
【０００１】
本発明は開閉が容易で計量機能を備えた厨房容器に関するもので、料理の際、塩、砂糖、薬味等の調味料を便利に使用することができるようにするための、開閉が容易で計量機能を備えた厨房容器に関する。
【０００２】
食物の味付けのために使用される各種調味料を入れて、料理の際、または食事の際に必要な量だけの調味料を便利に使用することができるようにする計量機能を有したり、コーヒーや粉末クリーム、砂糖をスプーンがなくても定量計量が可能な厨房容器に関する。
【背景技術】
【０００３】
一般的に食物に味をつけるために使用される調味料は、塩、砂糖、トウガラシ粉、薬味等、多様な種類があり、調味料の分類及び使用の便利のために調味料入れを容器として使用し区分して保管するようになる。
【０００４】
韓国公開実用新案公報公開番号実１９９９−０１４３００号「調味料入れ回転台」は、使用者が容易に願う調味料を見つけることができるだけでなく、その保管場所においても、食卓、流し台、棚や壁等、どこでも関係なく使用者が願う位置に簡単に設置して調味料が内蔵された調味料入れを保管することができ、本考案の美麗な形状によって台所等の外観をさらに美麗にすることができるようにする技術を提案している。
【０００５】
しかし、このような従来技術は、料理の際、調味料入れに入った調味料を必要時に取り出すのが難しい点がある。例えば、料理をする際、ビニール手袋をはめて和え物をしたり、鍋の蓋を持っている状態の場合には、味付けを簡単にすることができないのである。
【０００６】
また、従来技術による開閉が容易で計量機能を備えた厨房容器の据置台は、その設置形態が一種に指定されて、使用者の便宜どおりに調味料入れの位置を調整しにくい問題点がある。
【０００７】
そして、食物を料理する際には、多様な調味料が使用され、各調味料ごとに定量を異にして料理をするため、毎回調味料を添加する度に計量スプーンを使用して定量を量ることは調理師を煩わせている。
【０００８】
これと関して、韓国公開特許第１０−２００８−００１０２４８号「量調節調味料入れ」は、塩や砂糖等を入れておく調味料入れの出てくる量の調節に関するもので、調味料入れの中の上下二つの板が重なりながら出てくる量が調節されるようになる技術を提案している。この技術で、二つの板は調味料入れの蓋の中に位置しており、スィッチが動くにつれて重なる程度が変わって出る量が調節される。
【０００９】
しかし、このような従来技術は、計量スプーンのように正確な調味料の量を計量することができる機能を提供することができないでいる。
【先行技術文献】
【特許文献】
【００１０】
【特許文献１】韓国公開実用新案公報公開番号実１９９９−０１４３００号
【特許文献２】韓国公開特許第１０−２００８−００１０２４８号
【発明の概要】
【発明が解決しようとする課題】
【００１１】
したがって、本発明はこのような従来技術の問題点を解決するために提案されたもので、様々な形態で設置して調味料入れを保管することができるようにする新しい形態の開閉が容易で計量機能を備えた厨房容器を提供することを目的とする。
【００１２】
また、本発明は、一般的な瓶形態の調味料入れ構造の変更を最小化しつつ、計量スプーンのように細密な調味料の計量が可能なようにする新しい形態の計量機能を有する開閉が容易で計量機能を備えた厨房容器を提供することを目的とする。
【００１３】
また、本発明は、コーヒーに粉末クリームや砂糖を添加する際、入れたい量を調節してコーヒーカップにすぐ入れることにより、従来のコーヒースプーンで砂糖や粉末クリームをすくって入れると、コーヒーが付いた状態でまた砂糖や粉末クリーム入れにコーヒースプーンを入れることにより、液体によって凝固する現象が発生し、材料が混合して固まりが生ずる衛生上の問題点を解消することができる新しい形態の計量機能を有する器具を提供することを目的とする。
【課題を解決するための手段】
【００１４】
したがって、本発明はこのような従来技術の問題点を解決するために提案されたもので、様々な形態で設置して調味料入れを保管することができるようにする新しい形態の開閉が容易で計量機能を備えた厨房容器を提供することを目的とする。
【００１５】
また、本発明は、調味料入れが蓋方向に据置台に掛けられるようにすることにより、下方向に調味料入れを分離可能なようにする新しい形態の開閉が容易で計量機能を備えた厨房容器を提供することを目的とする。
【００１６】
また、本発明は、一般的な形態の調味料入れ構造の変更を最小化しつつ、計量スプーンのように細密な調味料の計量が可能なようにする新しい形態の計量機能を有する開閉が容易で計量機能を備えた厨房容器を提供することを目的とする。
【発明の効果】
【００１７】
本発明による開閉が容易で計量機能を備えた厨房容器によれば、磁性体６０、６２のように互いに接続される固定手段１６によって据置台１２に調味料入れ１４が固定されるため、据置台１２の設置位置を自由に動かすことができて、厨房の壁面、流し台の前壁面、流し台の上または前、テーブルの上等の多様な位置を設置面として据置台１２を固定させて便利に使用することができる。また、据置台１２の下方向に調味料入れ１４を付着させて据置台１２に掛けられる形態で調味料入れ１４を位置させることができるため、調味料入れ１４を引っぱる方式で使用することができて便利さを高める。特に、本発明は、据置台１２に形成されるストップリセス２８と調味料入れ１４に形成される係止顎５４によって、蓋として適用されるヘッド５０が据置台１２に固定された状態で調味料入れ１４のバレル４０を抜き取ることができるため、料理の際、片手でも調味料を容易に使用することができる長所を有する。
【００１８】
また、計量部材４０に多様な大きさの計量凹部４１を形成することができるため、計量スプーンのように細密な調味料の計量が可能なようにする。また、覆い部材５０を開けなくても多様な量の調味料を使用することができるようにすることにより、料理の際、使用者の手間を減らすことができる。
【図面の簡単な説明】
【００１９】
【図１】本発明の技術思想による開閉が容易で計量機能を備えた厨房容器を説明するための図である。
【図２】本発明の技術思想による開閉が容易で計量機能を備えた厨房容器において、据置台に調味料入れが掛かった状態を説明するための図である。
【図３】本発明の望ましい実施例による開閉が容易で計量機能を備えた厨房容器において、調味料入れの外観の一例を説明するための図である。
【図４】図３で示した調味料入れの断面図である。
【図５】本発明の望ましい実施例による開閉が容易で計量機能を備えた厨房容器において、据置台の外観の一例を説明するための図である。
【図６】図５で示した据置台を、調味料入れが結合される安置溝の中心軸上で切断して示す断面図である。
【図７−１１】本発明の望ましい実施例による開閉が容易で計量機能を備えた厨房容器の使用例を説明するための図である。
【図８】本発明の技術思想による開閉が容易で計量機能を備えた厨房容器を説明するための図である。
【図９】本発明の技術思想による開閉が容易で計量機能を備えた厨房容器において、覆い部の作用を説明するための図である。
【図１０】本発明の技術思想による開閉が容易で計量機能を備えた厨房容器において、計量部材の作用を説明するための図である。
【図１１】本発明の望ましい実施例による開閉が容易で計量機能を備えた厨房容器の分解斜視図である。
【図１２】本発明の望ましい実施例による開閉が容易で計量機能を備えた厨房容器の断面図である。
【図１３】本発明の望ましい実施例による開閉が容易で計量機能を備えた厨房容器において、計量部材を詳細に説明するための図である。
【図１４】本発明の望ましい実施例による開閉が容易で計量機能を備えた厨房容器において、覆い部の組立て断面図である。
【図１５】図１４の覆い部において、回転覆いと固定覆いの固定要素の他の例を説明するための図である。
【図１６】図１４の覆い部において、回転覆いを詳細に説明するための図である。
【図１７】図１４の覆い部において、固定覆いを詳細に説明するための図である。
【図１８】本発明の望ましい実施例による開閉が容易で計量機能を備えた厨房容器の作動状態を説明するための図である。
【発明を実施するための形態】
【００２０】
図１は本発明の技術思想による開閉が容易で計量機能を備えた厨房容器を説明するための図で、図２は本発明の技術思想による開閉が容易で計量機能を備えた厨房容器において据置台に調味料入れが掛かった状態を説明するための図である。
【００２１】
図１及び図２を参照すると、本発明による開閉が容易で計量機能を備えた厨房容器１０は、据置台１２、調味料入れ１４及び固定手段１６を備え、互いに接続される固定手段１６によって据置台１２に調味料入れ１４が固定されるため、据置台１２の設置位置を自由に動かすことができて、厨房の壁面、流し台の前壁面、流し台の上または前、テーブルの上等の多様な位置を設置面として据置台１２を固定させて便利に使用することができるようにすることを特徴とする。ここで、調味料入れ１４は、内部に調味料を収容する。据置台１２は、設置面に固定されて調味料入れ１４を位置させるようにする。固定手段１６は、調味料入れ１４と据置台１２にそれぞれ設置されて互いに接続されるように一対の相対物として形成される。このような固定手段１６により、据置台１２の下方向に調味料入れ１４が据置台１２に固定されるようにする。
【００２２】
このような本発明において、固定手段１６は、本発明の望ましい実施例のように、第１磁性体６０と第２磁性体６２からなり、第１磁性体６０と第２磁性体６２が互いに付着することにより、据置台１２の下方向に調味料入れ１４が据置台１２に固定されるようにすることにより、据置台１２の下方向に調味料入れ１４を付着させて据置台１２に掛けられる形態で調味料入れ１４を位置させることができるため、調味料入れ１４を引っぱる方式で使用することができて便利さを高めるようにする。ここで、第１磁性体６０は据置台１２に設置され、第２磁性体６２は調味料入れ１４に設置され、第１磁性体６０と第２磁性体６２が互いに付着する。
【００２３】
本発明による開閉が容易で計量機能を備えた厨房容器１０において、固定手段１６は、磁石を適用せず、機械的な固定メカニズムや電気・電子的な固定メカニズムを有することもできるものである。例えば、本発明の望ましい実施例では、構造を単純にし製造が容易なようにするために磁性体を適用したが、多様に提供されているカップリング構造を適用して多様な形態の固定手段１６を形成することができるのである。そして、本発明において磁性体は、磁石だけではなく磁石に付着する金属材も含まれる。すなわち、固定手段１６として第１磁性体６０を磁石で適用し、第２磁性体６２は第１磁性体６０に付着する磁石だけではなく、第１磁性体６０である磁石に付着する金属材が適用されることができるのである。これにより、本発明の望ましい実施例で第２磁性体６２は金属材の蓋で適用することができるのである。
【００２４】
また、本発明による開閉が容易で計量機能を備えた厨房容器１０は、本発明の望ましい実施例のように、据置台１２がメインリセス２２とストップリセス２８を有するようにし、調味料入れ１４がメインリセス２２及びストップリセス２８に挿入される形態に形成されるヘッド５０を有するようにして、調味料入れ１４が据置台１２に位置した状態で任意に回転することを防止する。ここで、メインリセス２２は、調味料入れ１４の一端が挿入されるように底面２４と周囲面２６によって一定の深さを有するように形成され、ストップリセス２８は、メインリセス２２の周囲面２６に外側方向に突出するように形成される。そして、ヘッド５０は、メインリセス２２に挿入される一端である。
【００２５】
また、本発明による開閉が容易で計量機能を備えた厨房容器１０は、本発明の望ましい実施例のように、調味料入れ１４は調味料が収容されるバレル４０を有する。そして、調味料入れ１４のヘッド５０は、ストップリセス２８に挿入される係止顎５４を有し、バレル４０と回転によってバレル４０に開け閉めされる調味料入れ１４の蓋として適用される。このような構成により、本発明による開閉が容易で計量機能を備えた厨房容器１０は、使用者がバレル４０を持って円周方向に回した後、下方向に下げたとき、ヘッド５０が据置台１４に付着した状態を維持することにより、蓋が分離して開いたバレル４０のみを取り出すことができるようにして、料理の際、片手でも調味料を容易に使用することができるようにする。
【００２６】
本発明において、調味料入れ１４の回転時、調味料入れ１４のヘッド５０が掛かるようにする構造を適用するにおいて、メインリセス２２とストップリセス２８は多様な構造を適用することができる。すなわち、本発明の望ましい実施例では六角や１２角、花模様、突出、埋込、楕円等の多様な構造によってメインリセス２２の各角がストップリセス２８の機能を有するようにすることにより、別途にストップリセス２８と係止顎５４を形成する負担を減らすようにしたが、本発明の基本思想は図１で示すとおり、不規則な形態の構造も可能なものである。
【００２７】
一方、本発明で調味料入れ１４に適用されるヘッド５０は、本発明の望ましい実施例のように、調味料入れ１４の蓋５０か、蓋５０が結合される反対側にバレル４０と一体に形成されるダミーヘッド４８であることができるもので、蓋５０と同じくバレル４０と別個に回転可能であるか、バレル４０と一体に回転可能な要素を全て包括する用語である。この場合、バレル４０と別個に回転可能な場合のヘッド５０は、蓋５０のように開け閉めする要素であるか、回転が要求される要素（蓋５０のように開け閉めはされないが、使用者が回す際、回転方向を設定する等回転が可能なようにする場合）である。この場合のヘッド５０は、調味料入れ１４が据置台１２の下方向に付着するようにする方式に有用に適用される。そして、バレル４０と一体に回転可能な場合のヘッド５０であるダミーヘッド４８は、蓋５０と異なり回転が必要ない場合の据置台１４を食卓や流し台上に置いて使用する場合に有用に適用される。
【００２８】
また、本発明において、据置台１４を設置面に固定する方法には、本発明の望ましい実施例で示したような構造の他にもこの分野で多様に適用されている方式が適用されることができるものである。
【００２９】
一方、図８は、本発明の技術思想による開閉が容易で計量機能を備えた厨房容器を説明するための図である。そして、図９は、本発明の技術思想による開閉が容易で計量機能を備えた厨房容器において、覆い部の作用を説明するための図であり、図１０は本発明の技術思想による開閉が容易で計量機能を備えた厨房容器において、計量部材の作用を説明するための図である。
【００３０】
図８を参照すると、本発明による開閉が容易で計量機能を備えた厨房容器１０は、バレル２０、計量部材４０、及び覆い部材５０を備え、大きさが大きくなったり複雑な装置構成が排除されるため、一般的な瓶の形態の調味料入れ構造の変更を最小化させることができて、調味料入れ本来の使用形態と機能を維持するようにし、流し台のような調理台、食卓等に瓶の形態で置いて使用することができるようにすると共に、調味料の計量機能を提供して使用の便利さを増大させるようにする。
【００３１】
この際、バレル２０は、調味料が収容される内部空間２１を形成するミドルボディー２２を有し、ミドルボディー２２内で内部空間２１と遮断される流出路３１が形成されるようにする流出管３０を有する。このようなバレル２０は、望ましくは透明な合成樹脂素材を射出成形してミドルボディー２２と流出管３０が一体に形成されるようにする。しかし、バレル２０は、ミドルボディー２２と流出管３０をガラス等のような素材で別個に製作し結合させて構成することもできるものである。そして、本実施例において、バレル２０は、中心軸上に円形断面を有する例を示したが、バレル２０の断面形状は多様な形態が適用されることができるものである。
【００３２】
計量部材４０は、バレル２０の下側に回転可能なように結合されるボトムボディー４２を有し、定められた量の調味料が収容されてボトムボディー４２の回転によって流出路３１の位置に合わせられる計量凹部４１を有する。この計量部材４０は、図１０で示すように、ボトムボディー４２の回動によってバレル２０の流出路３１と合わせられて、調味料が外部に排出されるようにする位置｛図１０の（ａ）｝を有するか、流出路３１とずれて調味料が外部に排出されない位置｛図１０の（ｂ）｝を有するようになる。計量部材４０は、本発明の望ましい実施例のように、底面４４に円周方向に多数個の計量凹部４１を形成してボトムボディー４２を回すことにより、必要な量の調味料が入れられる計量凹部４１を流出路３１に合わせて細密な計量が可能なようにすることができる。また、計量部材４０は、本発明の実施例において、固定リング７０（図１１及び図１７参照）を適用して回動可能なようにバレル２０に結合される形態を示したが、計量部材４０を回動可能なようにバレル２０に結合させる技術は、覆い部材５０と類似の形態だけではなく、この分野で多様に適用される形態を適用して構成することができるものである。
【００３３】
覆い部材５０は、バレル２０の上側に回転可能なように結合されるトップボディー５２を有し、トップボディー５２の回転によって流出路３１の位置に合わせられる流出ホール５１を有する。この覆い部材５０は、図９で示すように、トップボディー５２の回動によってバレル２０の流出路３１と合わせられて、計量部材４０によって計量されて流出路３１に移動する調味料が外部に排出されるようにする位置｛図９の（ａ）｝を有するか、流出路３１とずれて調味料が外部に排出されない位置｛図９の（ｂ）｝を有するようになる。覆い部材５０は、単一の構成で使用されることができるが、本発明の望ましい実施例のように、回動覆い５０ａと固定覆い５０ｂからなる２重の構成によって、本発明による計量された量の調味料の使用だけではなく、一般的な調味料入れと同じく多量が排出されるようにしたり、少量の調味料が排出されるようにして、使用の便利さを高めることができる。
【００３４】
以下、本発明の望ましい実施例を添付された図面の図３ないし図１１に基づいて詳細に説明する。
【００３５】
図３は本発明の望ましい実施例による開閉が容易で計量機能を備えた厨房容器において、調味料入れの外観の一例を説明するための図で、図４は図３で示した調味料入れの断面図である。そして、図５は本発明の望ましい実施例による開閉が容易で計量機能を備えた厨房容器において、据置台の外観の一例を説明するための図で、図６は図５で示した据置台を、調味料入れが結合される安置溝の中心軸上で切断して示す断面図である。また、図７は、流し台の上面に設置される場合を示した図である。
【００３６】
まず、図５及び図６を参照すると、本発明の望ましい実施例による開閉が容易で計量機能を備えた厨房容器１０（図１及び図２参照、以下同一）の据置台１２は、水平プレート２０と、この水平プレート２０の後側に一体または結合形態で設置される垂直プレート３０を有する。水平プレート２０は、上面に調味料入れ１４を位置させるために底面２４と周囲面２６によって定められた深さに形成されるメインリセス２２を有し、メインリセス２２の周囲面２６に外側方向に突出するように形成されるストップリセス２８を有する。そして、水平プレート２０は、下面に、床面に置く場合に滑りを防止するための下敷ゴム９０が設置される。垂直プレート３０は、設置面に固定させるための吸着板が結合されるホール３４が形成され、壁面固定用ねじが結合されるホール３２が形成される。ここで、据置台１２を固定させるための構成は、この分野の従事者が一般的に適用される多様な技術を選択的に使用することができるものである。
【００３７】
このような据置台１２は設置面に固定されるが、図７で示すように、調味料入れ１４が下方向に付着するように設置面に固定される。
【００３８】
このような据置台１２には、固定手段１６（図１及び図参照、以下同じ）の第１磁性体６０が設置される。本実施例において、第１磁性体６０はボルト９２によって水平プレート２０においてメインリセス２２の底面２４に上側の高さが合うように設置されている。勿論、このような第１磁性体６０の設置方法は、プラスチック物に付着物を設置する多様な工法が適用されることができるものである。
【００３９】
図３及び図４を参照すると、本発明の望ましい実施例による開閉が容易で計量機能を備えた厨房容器１０の調味料入れ１４は、調味料を収容して前述した据置台１２に位置される。
【００４０】
このような調味料入れ１４は、バレル４０とヘッド５０を備えてなる。この際、バレル４０は、底面４４の上方向に開口４２が形成されて内部に調味料を収容する空間４１が形成され、上側の外側周囲にねじ４６が形成される。そして、バレル４０の下側端にはダミーヘッド４８が設置されるが、このダミーヘッド４８は、蓋の機能をする上側のヘッド５０と同じく係止顎５４’を備え、据置台１２に調味料入れ１４を置いて位置させる場合、調味料入れ１４の位置を決め易くし、任意に散らかることを防止するようにする。
【００４１】
調味料入れ１４のヘッド５０は、前述したダミーヘッド４８外にバレル４０に回動可能なように結合され、据置台１２のメインリセス２２に挿入されるように形成され、ストップリセス２８に挿入される係止顎５４を有する。本実施例において、ヘッド５０は、下側にバレル４０のねじ４６に結合するねじ５２が形成される調味料入れ１４の蓋である。このような蓋５０は、据置台１２に位置させた状態でバレル４０を回動させるとき、据置台１２によって停止した状態を維持することにより、バレル４０と分離するようになる。よって、使用者は片手でバレル４０を持って回すことにより、蓋５０が開いた状態でバレル４０を据置台１２から抜き取って調味料を使用するようになるのである。
【００４２】
このような調味料入れ１４には、固定手段１６の第２磁性体６２が設置される。本実施例において第２磁性体６２は、鉄成分を含むように形成されるヘッド５０自体であるか、第１磁性体６０と付着する磁石をヘッド５０に挿入して形成することができるものである。
【００４３】
本発明の望ましい実施例による開閉が容易で計量機能を備えた厨房容器１０は、調味料入れ１４と据置台１２にそれぞれ設置されて互いに接続されるように一対の相対物として形成される固定手段１６である第１及び第２磁性体６０、６２によって、図７で示すように、据置台１２の下方向に調味料入れ１４が据置台１２に固定されるようにする。
【００４４】
そして、蓋として適用されるヘッド５０が据置台１２に引っ掛かって回動しないようにする構成により、図８で示したように、蓋が開いた状態でバレル４０を分離して調味料を使用することができるようにすることにより、料理中に片手を用いて調味料を適用することができるようにする便利さを提供する。この際、図７は、図面の左側から一番目の調味料入れ４０は据置台１２に位置した状態を示し、二番目の調味料入れ４０は使用者がバレル４０を回転させてヘッド５０がバレル４０から分離するようにしてバレル４０を下方向に抜き取る状態を示し、三番目の調味料入れ４０は使用者がバレル４０を回転させずに下方向に引っ張った場合、蓋が閉まった状態で調味料入れ１４が据置台１２から分離した状態を示している。
【００４５】
図１１は本発明の望ましい実施例による開閉が容易で計量機能を備えた厨房容器の分解斜視図で、図１２は本発明の望ましい実施例による開閉が容易で計量機能を備えた厨房容器の断面図である。そして、図１３は本発明の望ましい実施例による開閉が容易で計量機能を備えた厨房容器において計量部材を詳細に説明するための図であり、図１４は本発明の望ましい実施例による開閉が容易で計量機能を備えた厨房容器において覆い部の組立て断面図で、図１５は図１４の覆い部において、回転覆いと固定覆いの固定要素の他の例を説明するための図である。そして、図１６は図１４の覆い部において回転覆いを詳細に説明するための図で、図１７は図１４の覆い部において固定覆いを詳細に説明するための図である。
【００４６】
図１１及び図１２を参照すると、本発明の望ましい実施例による開閉が容易で計量機能を備えた厨房容器１０は、バレル２０、計量部材４０、覆い部材５０及び固定リング７０を備え、計量スプーンのように細密な調味料の計量が可能なようにし、覆い部材５０を開けなくても多様な量の調味料を使用することができるようにすることにより、料理の際、使用者の手間を減らすようにする。
【００４７】
本実施例において覆い部材５０は、回動覆い５０ａと固定覆い５０ｂからなり、本発明による計量された調味料の量の他にも、一般的な調味料入れと同じく多量または少量の調味料を連続的に使用することができるようにする。また、バレル２０に掛かるように結合される固定リング７０を使用して計量部材４０がバレル２０に対して回動可能なようにすることにより、使用の便利さと共に分離及び洗浄の便宜性を高めた。
【００４８】
本実施例による開閉が容易で計量機能を備えた厨房容器１０において、バレル２０は、図１１で示すように、調味料が収容される内部空間２１を形成するミドルボディー２２を有し、ミドルボディー２２内で内部空間２１と遮断される流出路３１が形成されるようにする流出管３０を有する。
【００４９】
この際、バレル２０は、上端２１ａと下端２１ｂが貫通し、上側の外周面にはねじ２４が形成されて覆い部材５０が固定結合されるようにする。そして、バレル２０は、下側の外周面に掛りフランジ２６が形成されて、計量部材４０がバレル２０に密着した状態で回動可能なようにする固定リング７０が掛かって結合されるようにする。
【００５０】
このようなバレル２０において、流出路３１を形成する流出管３０は、上端３１ａと下端３１ｂが貫通し、下側は上側より広い流出路３１を形成する拡大部３２が形成されるようにして、計量された調味料が安定的に移動することができるようにする。
【００５１】
本実施例による開閉が容易で計量機能を備えた厨房容器１０において、計量部材４０は、バレル２０の下側に回転可能なように結合されるボトムボディー４２を有し、定められた量の調味料が収容されて、ボトムボディー４２の回転によって流出路３１の位置に合わせられる計量凹部４１を底面４４に有する。この計量部材４０は、固定リング７０によって回転可能なようにバレル２０に結合される。
【００５２】
ここで、固定リング７０は、貫通孔７１が形成される本体７２、この本体７２の上端に、バレル２０の下側外周面に形成された掛りフランジ２６に引っ掛かるように形成される掛かり枠７２、本体７２の内側面に計量部材４０がねじ結合される内部ねじ７６が形成される。このような固定リング７０によって、計量部材４０は、バレル２０に密着した状態で回動可能なように固定リング７０が掛かって結合される。
【００５３】
図１３で示すように、計量部材４０は、本体４２の上側外周面上に固定リング７０の内部ねじ７６に結合される外部ねじ４６が形成され、下側には使用者が手で持って計量部材４０を便利に回すことができるようにする取っ手４８が形成される。本実施例において、取っ手４８は、外周面が角を有するように形成されて、壁面等に本発明による開閉が容易で計量機能を備えた厨房容器１０を置くことができるようにする据置台（図示なし）を構成する場合、据置台に調理器類１０をおいた状態で計量部材４０を回転させることができるようにする。
【００５４】
また、計量部材４０の計量凹部４１は、円周方向に順次に配置され、２つずつ同じ量の調味料が収容されるように多数個のサブ計量凹部４１ａ、４１ｂ、４１ｃ、４１ｄからなる。このようなサブ計量凹部４１ａ、４１ｂ、４１ｃ、４１ｄは、３．２５ｃｃ（ 大さじ１／４、４１ａ、４１ｂ）、１．２５ｃｃ（ 小さじ１／４、４１ｃ、４１ｄ）からなっており、２間ずつ細密に調味料量を調節することができるようにする。
【００５５】
４１ａ（３．７５ｃｃ）＋０ｃｃ＝３．７５ｃｃ（大さじ１／４）
【００５６】
４１ａ（３．７５ｃｃ）＋４１ｂ（３．７５ｃｃ）＝７．５ｃｃ（大さじ１／２）
【００５７】
４１ｂ（３．７５ｃｃ）＋４１ｃ（１．２５ｃｃ）＝５ｃｃ（小さじ１）
【００５８】
４１ｃ（１．２５ｃｃ）＋４１ｄ（１．２５ｃｃ）＝２．５ｃｃ（小さじ１／２）
【００５９】
４１ｄ（１．２５ｃｃ）＋０ｃｃ＝１．２５ｃｃ（小さじ１／４）
【００６０】
勿論、このようなサブ計量凹部４１ａ、４１ｂ、４１ｃ、４１ｄの数及び用量は、必要に応じて多様に構成されることができるものである。
【００６１】
本実施例による開閉が容易で計量機能を備えた厨房容器１０において、覆い部材５０は、バレル２０の上側に回転可能なように結合されるトップボディー５２を有し、トップボディー５２の回転によって流出路３１の位置に合わせられる流出ホール５１を有する。特に、本実施例において、覆い部材５０は回動覆い５０ａと固定覆い５０ｂからなる２重の構成によって、本発明による計量された量の調味料の使用だけではなく一般的な調味料入れと同じく多量が排出されるようにしたり、少量の調味料が排出されるようにして使用の便利さを高めるようにする。
【００６２】
このような覆い部材５０において、回動覆い５０ａと固定覆い５０ｂは、図１４で示すように、固定板６２、ボルト６４及びワッシャー６６からなる固定具６０によって、固定覆い５０ｂに回動覆い５０ａが結合された状態で回動可能なようにして調味料の排出を調節することができるようにする。勿論、固定覆い５０ｂに回動覆い５０ａが結合された状態で回動可能なようにする固定具６０は、図１４で示すように、多様な形態を適用することができるものである。例えば、図１５の（ａ）は固定板６２’にボルト６２ａを形成し、このボルト６２ａに結合されるナット６４’を使用して、図１２で示すように、固定覆い５０ｂに回動覆い５０ａが結合された状態で回動可能なようにする固定具６０を構成した例を示している。そして、図１５の（ｂ）は、固定板６２”の延長部を圧着させて固定覆い５０ｂと回動覆い５０ａが掛けられるようにする掛かり枠６４”を形成させる例を示している。
【００６３】
本実施例において覆い部材５０の回動覆い５０ａは、図１６で示すように、固定覆い５０ｂに回動可能なように結合され、回動時に固定覆い５０ｂの内部流出ホール５１ｂと合わせられる外部流出ホール５１ａを有する。この回動覆い５０ａは、固定覆い５０ｂとの固定のための固定具６０の結合のために上面に固定板収容溝５３ａ及び貫通ホール５６ｂが中心軸上に形成される。そして、本実施例において回動覆い５０ａは、外部流出ホール５１ａが固定覆い５０ｂの内部流出ホール５１ｂの位置に合ったとき｛図１８の（ａ）のような状態｝と、外部流出ホール５１ａがふさがる状態になったとき｛図１８の（ｄ）のような状態｝、回動覆い５０ａの回動を止めるようにするストッパーを有する。本実施例において、このストッパーは、回動覆い５０ａに形成される上部ストッパー２６と固定覆い５０ｂに形成される下部ストッパー５８からなるが、上部ストッパー２６は回動覆い５０ａの本体５２ａの下側に突出するように形成され、下部ストッパー５８の間に配置されてその回転が制限されるようにする。
【００６４】
一方、本実施例による開閉が容易で計量機能を備えた厨房容器１０は、回動覆い５０ａの本体５２ａの外周面が角を有するようにして、壁面等に本発明による開閉が容易で計量機能を備えた厨房容器１０を掛けることができるようにする据置台（図示なし）を構成する場合、据置台に調味料入れ１０を掛けた状態で計量部材４０または回動覆い５０ａを回転させることができるようにする。
【００６５】
本実施例において、覆い部材５０の固定覆い５０ｂは、バレル２０に固定結合された際、流出管３０と合わせられる位置に配置される覆い流出管５１’を有し、覆い流出管５１’の上側に開口として形成される内部流出ホール５１ｂを有する。この固定覆い５０ｂは、前述した回動覆い５０ａとの固定のための固定具６０の結合のために、上面に固定板収容溝５５ａ及び貫通ホール５５ｂが中心軸上に形成される。本体５２ｂの下側内面には内部ねじ５４が形成されて、バレル２０のミドルボディー２２の上側に形成されたねじ２４に結合される。
【００６６】
本実施例において、固定覆い５０ｂは、内部流出ホール５１ｂと離隔され円周方向に順次に配置されるサブ流出ホール５１ｃ、５１ｄを備えることにより、回動覆い５０ａの外部流出ホール５１ａを固定覆い５０ｂの内部流出ホール５１ｂの位置に合わせたとき、計量部材４０の計量凹部４１によって計量された調味料を使用することができるようにし、回動覆い５０ａの外部流出ホール５１ａを固定覆い５０ｂのサブ流出ホール５１ｃ、５１ｄに合わせたとき、バレル２０の内部空間２１に収容された調味料を使用することができるようにする。この際、本実施例においてサブ流出ホール５１ｃ、５１ｄは、開放ホール形態の第１サブ流出ホール５１ｃと一部ふさがれた形態の第２サブ流出ホール５１ｄで構成したが、このようなサブ流出ホール５１ｃ、５１ｄの個数及び形態は、製造者または使用者の選択によって多様に構成することができるものである。
【００６７】
また、本実施例による開閉が容易で計量機能を備えた厨房容器１０で固定覆い５０ｂは、前述した回動覆い５０ａと連係されて、回動覆い５０ａの外部流出ホール５１ａが固定覆い５０ｂの内部流出ホール５１ｂの位置に合わせたときと回動覆い５０ａの外部流出ホール５１ａがふさがれた状態になったとき、回動覆い５０ａの回動を止めるようにするために回動覆い５０ａの上部ストッパー２６と対応する下部ストッパー５８を有する。この際、下部ストッパー５８は、二つの位置で止めが必要なため、下部第１ストッパー５８ａと第２下部ストッパー５８ｂを有し、回動覆い５０ａの上部ストッパー２６は下部第１ストッパー５８ａと第２下部ストッパー５８ｂの間に配置されるように回動覆い５０ａと固定覆い５０ｂが結合されるようにすることにより、各位置で回動覆い５０ａの回転が遮断されるようにする。
【００６８】
図１８は本発明の望ましい実施例による開閉が容易で計量機能を備えた厨房容器の作動状態を説明するための図である。
【００６９】
図１８を参照すると、本発明の望ましい実施例による開閉が容易で計量機能を備えた厨房容器１０は、４種の使用形態によって計量された量の調味料の使用だけではなく、一般的な調味料入れと同じく多量が排出されるようにしたり少量の調味料が排出されるようにして使用の便利さを高めるようにする。すなわち、図１８の（ａ）ないし（ｄ）は定量排出、多量連続排出、少量連続排出、排出止めの使用形態を示している。
【００７０】
これをみると、まず、図１８の（ａ）は、回動覆い５０ａの外部流出ホール５１ａ、固定覆い５０ｂの内部流出ホール５１ｂがバレル２０の流出路３１の位置に合わせられた状態であって、この場合、ボトムボディー４２の回転によって流出路３１に位置した計量凹部４１の調味料が外部に排出されるようになる。図１８の（ｂ）は、回動覆い５０ａの外部流出ホール５１ａ、固定覆い５０ｂの開放ホール形態の第１サブ流出ホール５１ｃが合わせられた状態であって、この場合、流出路３１はふさがれるようになり、バレル２０の内部空間２１に収容された調味料が外部に排出されるようになるため、多量の調味料を継続的に使用することができるようになる。図１８の（ｃ）は、回動覆い５０ａの外部流出ホール５１ａ、固定覆い５０ｂの一部ふさがれた形態の第２サブ流出ホール５１ｄが合わせられた状態であって、この場合、流出路３１はふさがれるようになり、バレル２０の内部空間２１に収容された調味料が外部に排出されるようになるため、多量の調味料を図１２の（ｂ）の状態より少なく継続的に使用することができるようになる。図１８の（ｄ）は、回動覆い５０ａの外部流出ホール５１ａがふさがれた状態であって、調味料の排出がなされなくなり、通常の調味料入れの保管状態になる。
【図１】
2017506086.tif 000003
【図２】
2017506086.tif 000004
【図３】
2017506086.tif 000005
【図４】
2017506086.tif 000006
【図５】
2017506086.tif 000007
【図６】
2017506086.tif 000008
【図７】
2017506086.tif 000009
【図８】
2017506086.tif 000010
【図９】
2017506086.tif 000011
【図１０】
2017506086.tif 000012
【図１１】
2017506086.tif 000013
【図１２】
2017506086.tif 000014
【図１３】
2017506086.tif 000015
【図１４】
2017506086.tif 000016
【図１５】
2017506086.tif 000017
【図１６】
2017506086.tif 000018
【図１７】
2017506086.tif 000019
【図１８】
2017506086.tif 000020
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
内部に内容物を収容する収容部（１４）と、
設置面に固定されて上記収容部（１４）を位置させるための据置台（１２）、及び、上記収容部（１４）と上記据置台（１２）にそれぞれ設置されて互いに接続されるように一対の相対物として形成される固定手段（１６）を含み、上記固定手段（１６）によって上記据置台（１２）の下方向に上記収容部（１４）が上記据置台（１２）に固定されるようにすることを特徴とする開閉が容易で計量機能を備えた容器。
【請求項２】
上記固定手段（１６）は、上記据置台（１２）に設置される第１磁性体（６０）、及び上記収容部（１４）に設置される第２磁性体（６２）を含み、上記１磁性体（６０）と第２磁性体（６２）が互いに付着することにより、上記据置台（１２）の下方向に上記収容部（１４）が上記据置台（１２）に固定されるようにすることを特徴とする、請求項１に記載の開閉が容易で計量機能を備えた容器。
【請求項３】
上記据置台（１２）は、上記収容部（１４）の一端が挿入されるように底面（２４）と周囲面（２６）によって定められた深さを有するように形成されるメインリセス（２２）、及び、上記メインリセス（２２）の周囲面（２６）に外側方向に突出するように形成されるストップリセス（２８）を有し、上記収容部（１４）は、上記メインリセス（２２）に挿入される一端が上記メインリセス（２２）及びストップリセス（２８）に挿入される形態に形成されるヘッド（５０）を備えることを特徴とする、請求項１に記載の開閉が容易で計量機能を備えた容器。
【請求項４】
上記収容部（１４）は、上記内容物が収容されるバレル（４０）を備え、上記収容部（１４）のヘッド（５０）は、上記ストップリセス（２８）に挿入される係止顎（５４）を有し、上記バレル（４０）と回転によって上記バレル（４０）に開け閉めされる上記収容部（１４）の蓋であって、使用者が上記バレル（４０）を持って円周方向に回した後、下方向に下げたとき、上記ヘッド（５０）が上記据置台（１４）に付着した状態を維持することにより、蓋が分離して開いた上記バレル（４０）のみを取り出すことができるようにすることを特徴とする、請求項３に記載の開閉が容易で計量機能を備えた容器。
【請求項５】
底面（２４）と周囲面（２６）によって定められた深さに形成されるメインリセス（２２）と、上記メインリセス（２２）の周囲面（２６）に外側方向に突出するように形成されるストップリセス（２８）を有し、設置面に固定される据置台（１２）及び、内容物を収容して上記据置台（１２）に位置される収容部（１４）を含み、上記収容部（１４）は、内部に内容物を収容する空間（４１）が形成されるバレル（４０）と、上記バレル（４０）に回動可能なように結合され、上記据置台（１２）の上記メインリセス（２２）に挿入されるように形成され、上記ストップリセス（２８）に挿入される係止顎（５４）を有するヘッド（５０）を備え、上記収容部（１４）を上記据置台（１２）に位置させた状態で上記バレル（４０）を回動させとき、上記ヘッド（５０）が上記据置台（１２）によって停止した状態を維持するようにすることを特徴とする開閉が容易で計量機能を備えた容器。
【請求項６】
上記収容部（１４）と上記据置台（１２）にそれぞれ設置されて互いに接続されるように一対の相対物として形成される固定手段（１６）をさらに含み、上記固定手段（１６）によって上記据置台（１２）の下方向に上記収容部（１４）が上記据置台（１２）に固定されるようにすることを特徴とする、請求項５に記載の開閉が容易で計量機能を備えた容器。
【請求項７】
上記固定手段（１６）は、上記据置台（１２）に設置される第１磁性体（６０）、及び上記収容部（１４）に設置される第２磁性体（６２）を含み、上記１磁性体（６０）と第２磁性体（６２）が互いに付着することにより、上記据置台（１２）の下方向に上記収容部（１４）が上記据置台（１２）に固定されるようにすることを特徴とする、請求項６に記載の開閉が容易で計量機能を備えた容器。
【請求項８】
内容物が収容される内部空間（２１）を形成するミドルボディー（２２）を有し、上記ミドルボディー（２２）内で上記内部空間（２１）と遮断される流出路（３１）が形成されるようにする流出管（３０）を有するバレル（２０）と、上記バレル（２０）の下側に回転可能なように結合されるボトムボディー（４２）を有し、定められた量の内容物が収容されて上記ボトムボディー（４２）の回転によって上記流出路（３１）の位置に合わせられる計量凹部（４１）を有する計量部材（４０）、及び、上記バレル（２０）の上側に回転可能なように結合されるトップボディー（５２）を有し、上記トップボディー（５２）の回転によって上記流出路（３１）の位置に合わせられる流出ホール（５１）を有する覆い部材（５０）を含み、上記計量部材（４０）の計量凹部（４１）によって計量された内容物が上記バレル（２０）の流出路（３１）を通って上記覆い部材（５０）の流出ホール（５１）に出るようにすることができることを特徴とする、開閉が容易で計量機能を備えた容器。
【請求項９】
上記計量部材（４０）の計量凹部（４１）は、円周方向に順次に配置され、互いに同じか異なる大きさに形成されて、定められた量の内容物が収容されるように多数個のサブ計量凹部（４１ａ、４１ｂ、４１ｃ、４１ｄ）を備えることを特徴とする、請求項８に記載の開閉が容易で計量機能を備えた容器。
【請求項１０】
上記覆い部材（５０）は、上記バレル（２０）に固定結合された際、上記流出管（３０）と合わせられる位置に配置される覆い流出管（５１’）を有し、上記覆い流出管（５１’）の上側に開口として形成される内部流出ホール（５１ｂ）を有する固定覆い（５０ｂ）、及び、上記固定覆い（５０ｂ）に回動可能なように結合されて、回動時に上記内部流出ホール（５１ｂ）と合わせられる外部流出ホール（５１ａ）を有する回動覆い（５０ａ）を備え、上記固定覆い（５０ｂ）は、上記内部流出ホール（５１ｂ）と離隔され円周方向に順次に配置されるサブ流出ホール（５１ｃ、５１ｄ）を備えることにより、上記回動覆い（５０ａ）の外部流出ホール（５１ａ）を上記固定覆い（５０ｂ）の内部流出ホール（５１ｂ）の位置に合わせたとき、上記計量部材（４０）の計量凹部（４１）によって計量された内容物を使用することができるようにし、上記回動覆い（５０ａ）の外部流出ホール（５１ａ）を上記固定覆い（５０ｂ）のサブ流出ホール（５１ｃ、５１ｄ）に合わせたとき、上記バレル（２０）の内部空間（２１）に収容された内容物を使用することができるようにすることを特徴とする、請求項８に記載の開閉が容易で計量機能を備えた容器。
【請求項１１】
上記回動覆い（５０ａ）と固定覆い（５０ｂ）は、上記回動覆い（５０ａ）の外部流出ホール（５１ａ）が上記固定覆い（５０ｂ）の内部流出ホール（５１ｂ）の位置に合わせたときと、上記回動覆い（５０ａ）の外部流出ホール（５１ａ）がふさがれた状態になったとき、上記回動覆い（５０ａ）の回動を止めるようにするストッパーをさらに備えることを特徴とする、請求項１０に記載の開閉が容易で計量機能を備えた容器。
【請求項１２】
上記回動覆い（５０ａ）と計量部材（４０）は、外周面が角を有するように形成されることを特徴とする、 請求項１０に記載の開閉が容易で計量機能を備えた容器。
【手続補正３】
【補正対象書類名】明細書
【補正対象項目名】００５４
【補正方法】変更
【補正の内容】
【００５４】
また、計量部材４０の計量凹部４１は、円周方向に順次に配置され、２つずつ同じ量の調味料が収容されるように多数個のサブ計量凹部４１ａ、４１ｂ、４１ｃ、４１ｄからなる。このようなサブ計量凹部４１ａ、４１ｂ、４１ｃ、４１ｄは、３．７５ｃｃ（ 大さじ１／４、４１ａ、４１ｂ）、１．２５ｃｃ（ 小さじ１／４、４１ｃ、４１ｄ）からなっており、２間ずつ細密に調味料量を調節することができるようにする。
【国際調査報告】
2017506086.tif 000021
2017506086.tif 000022
2017506086.tif 000023
2017506086.tif 000024
2017506086.tif 000025
2017506086.tif 000026